(57)【要約】【課題】操作もれ、手順不良、分析条件の誤入力など、人為的な操作ミスを減らすことが可能となる自動分析装置システムを提供する。【解決手段】本発明の自動分析システムによると、表示装置に、自動分析装置の操作者毎に指定された業務のリストと該業務に含まれ上記操作者毎に指定された作業項目のリストを表示する操作ナビゲーション実行画面を表示する。従って、操作者は、表示装置に表示された操作ナビゲーションに従って、操作を行う。【選択図】図２
2008070321.tif 000002
【特許請求の範囲】
【請求項１】
試料を自動的に分析する自動分析装置と、上記自動分析装置を操作するための操作画面を表示する表示装置と、ユーザが入力するための入力装置と、を有し、上記表示装置は、上記自動分析装置の操作者毎に指定された、業務のリストと該業務に含まれる作業項目のリストを表示する操作ナビゲーション実行画面を表示することを特徴とする自動分析システム。
【請求項２】
請求項１記載の自動分析システムにおいて、上記操作ナビゲーション実行画面は、上記操作者毎に指定された業務のリストが表示された業務リストボックスと、上記業務の内容が表示されたコメントボックスと、上記作業項目のリストが表示された作業項目リストボックスと、上記作業項目の内容が表示されたコメントボックスと、を有することを特徴とする自動分析システム。
【請求項３】
請求項２記載の自動分析システムにおいて、上記操作者が、上記操作ナビゲーション実行画面の業務リストボックスにて所定の業務を選択し、上記作業項目リストボックスにて所定の作業項目を選択すると、上記表示装置は、上記作業項目に表示された作業を行うための操作内容を表示する操作内容表示画面を表示することを特徴とする自動分析システム。
【請求項４】
請求項３記載の自動分析システムにおいて、上記操作者が、上記操作内容表示画面にて所定のボタンをクリックすると、上記表示装置は、上記作業項目に表示された作業にて実行する操作を行うための操作画面を表示することを特徴とする自動分析システム。
【請求項５】
請求項４記載の自動分析システムにおいて、上記操作者が、上記操作画面にて所定のボタンをクリックすると、上記表示装置は、上記作業項目に表示された作業の次の作業にて実行する操作を行うための操作画面を表示することを特徴とする自動分析システム。
【請求項６】
請求項４記載の自動分析システムにおいて、上記操作者が、上記操作画面にて所定のボタンをクリックすると、上記表示装置は、上記作業項目に表示された作業の操作を終了する旨を表示する操作終了画面を表示することを特徴とする自動分析システム。
【請求項７】
請求項１記載の自動分析システムにおいて、上記表示装置は、上記自動分析装置の管理者が、上記操作者毎に業務のリストと該業務に含まれる作業項目のリストを指定するための操作ナビゲーション登録画面を表示することを特徴とする自動分析システム。
【請求項８】
請求項７記載の自動分析システムにおいて、上記操作ナビゲーション登録画面は、上記自動分析装置を操作することを許可された操作者のリストを表示する操作者フィールド、上記操作者の各々が行う業務と該業務の内容を登録する業務フィールド、及び、上記業務の各々に含まれる作業項目と該作業項目の内容を登録する作業項目フィールドを有することを特徴とする自動分析システム。
【請求項９】
請求項８記載の自動分析システムにおいて、上記操作ナビゲーション登録画面にて上記業務フィールドの所望の業務を選択すると、別ウインドウにて上記選択した業務と該業務の内容を編集するための業務編集画面が表示され、上記作業項目フィールドの所望の作業項目を選択すると、別ウインドウにて上記作業項目と該作業項目の内容を編集するための作業項目編集画面が表示されることを特徴とする自動分析システム。
【請求項１０】
請求項７記載の自動分析システムにおいて、上記自動分析装置の管理者が、上記操作ナビゲーション登録画面にて所定のボタンをクリックすると、上記表示装置は、上記作業項目を実行するための操作内容を編集するための操作内容編集画面を表示することを特徴とする自動分析システム。
【請求項１１】
請求項１０記載の自動分析システムにおいて、上記操作内容編集画面は、上記作業項目を実行するための操作を行うための操作画面のリストと該操作の手順を登録するための操作順画面リストを表示することを特徴とする自動分析システム。
【請求項１２】
請求項１１記載の自動分析システムにおいて、上記自動分析装置の管理者が、上記操作内容編集画面にて上記操作画面の１つを選択し所定のボタンをクリックすると、上記表示装置は、上記操作画面にて実行する操作方法を入力するための操作方法入力画面を表示することを特徴とする自動分析システム。
【請求項１３】
請求項１１記載の自動分析システムにおいて、上記操作方法入力画面は、上記操作方法の出力方法として、上記表示装置の画面にて表示するか、又は、音声出力装置を介して音声として出力するかのいずれかを選択するフィールドを有することを特徴とする自動分析システム。
【請求項１４】
請求項１記載の自動分析システムにおいて、上記表示装置は、操作者ＩＤとパスワードを入力するためのログイン画面を表示し、予め登録された操作者ＩＤとパスワードが入力されたとき、上記操作ナビゲーション実行画面を表示することを特徴とする自動分析システム。
【発明の詳細な説明】
【技術分野】
【０００１】
本発明は、試料を自動的に分析する自動分析システムに関し、特に、自動分析システムにおけるユーザインターフェース技術に関するものである。
【背景技術】
【０００２】
従来の自動分析システムでは、表示装置に、自動分析システムを動作させるために必要な分析条件を入力する画面、分析に必要な試薬を登録する画面、キャリブレーションを行うための画面、精度管理を行うための画面、検体を受け付けるための画面、自動分析システムのメンテナンスを行うための画面を表示するように構成されている。ユーザは、所望の画面上で、自由に操作することが可能である。
【発明の開示】
【発明が解決しようとする課題】
【０００３】
従来の自動分析システムでは、どのような手順にて自動分析システムを操作するかは、各操作者の責任に委ねられていた。そのため、操作者の習熟度が低い場合には、操作もれ、手順不良、分析条件の誤入力など、人為的な操作ミスが起きる可能性があった。
本発明は、操作もれ、手順不良、分析条件の誤入力など、人為的な操作ミスを減らすことが可能となる自動分析装置システムを提供することを目的とする。
【課題を解決するための手段】
【０００４】
本発明の自動分析システムによると、表示装置に、自動分析装置の操作者毎に指定された業務のリストと操作者毎に指定された作業項目のリストを表示する操作ナビゲーション実行画面を表示する。従って、操作者は、表示装置に表示された操作ナビゲーションに従って、操作を行う。
自動分析装置の管理者は、操作者毎に業務のリストと作業項目のリストを指定する。
【発明の効果】
【０００５】
本発明の自動分析システムによると、操作もれ、手順不良、分析条件の誤入力など、人為的な操作ミスを減らすことが可能となる。
【発明を実施するための最良の形態】
【０００６】
図１を参照して本発明の自動分析システムの例を説明する。本例の自動分析システムは、反応容器１−２を保持する反応ディスク１−１、反応ディスク１−１を所定の温度に保持する保温槽１−３、反応ディスク１−１を回転させるための反応ディスク回転機構１−４、検体が収納された試験管を保持するサンプルディスク１−５、先端に検体ピペッティングノズル１−８を備えた検体ピペッティング機構１−７、試薬が収納された試薬ボトルを保持する試薬ディスク１−９Ａ、１−９Ｂ、先端に試薬ピペッティングノズル１−２８を備えた試薬ピペッティング機構１−１０、反応容器１−２内の反応溶液を攪拌するための撹拌機構１−１１、反応容器１−２を洗浄するための洗浄機構１−１４、検査が収納された反応容器１−２に光を照射する光源１−１３、及び、反応容器１−２を通過した光のうち所定の波長の光を検出する多波長光度計１−１２、を有する。
【０００７】
本例の自動分析システムは、更に、制御系及び信号処理系を有する。即ち、マイクロコンピュータ１−１５、インターフェース１−１６、Ｌｏｇ（対数）変換器１−１７、Ａ／Ｄ変換器１−１８、試薬分注機構１−１９、洗浄水ポンプ１−２０、サンプル分注機構１−２１、プリンタ１−２２、操作画面を表示する表示装置１−２３、ハードディスク等の記憶装置１−２４、及び、ユーザが入力するための入力装置１−２５を有する。入力装置１−２５は、キーボード、あるいはタッチスクリーンやマウスなどのポインティングデバイスである。
【０００８】
記憶装置１−２４には、自動分析システムの制御系の動作を実行するプログラム、信号処理系の動作を実行するプログラムが格納されている。記憶装置１−２４には、更に、以下に説明するように、管理者による操作ナビゲーション登録処理、操作者による操作ナビゲーション実行処理等を実行する各種のプログラムが格納されている。
【０００９】
本例の自動分析システムは、インターフェース１−１６を介して、公衆回線網１−２９に接続され、更に、リモートコンピュータ１−３０に接続されている。
【００１０】
本例の自動分析システムによると、検体を収納する試験管には、バーコード１−６が付されている。サンプルディスク１−５には、バーコード読み取り装置１−２６が付属して設けられている。検体登録時には、試験管に付されたバーコード１−６が読み取られる。こうして読み取られたバーコードは、バーコード読み取り位置と関連付けられて、記憶装置１−２４に記憶される。同様に、試薬を収納する試薬ボトルにはバーコードが付されている。各試薬ディスク機構１−９Ａ、１−９Ｂには、バーコード読み取り装置１−２７が付属して設けられている。試薬登録時には、試薬ボトルに付されたバーコードが読み取られる。こうして読み取られたバーコードは、バーコード読み取り位置と関連付けられて、記憶装置１−２４に記憶される。
【００１１】
本例の自動分析システムの動作の概略を説明する。サンプルディスク１−５を回転させ、検査対象の検体が収納された試験管を、検体分注位置に移動させる。サンプル分注機構１−２１は、検体ピペッティング機構１−７を駆動する。検体ピペッティング機構１−７の検体ピペッティングノズル１−８は、サンプルディスク１−５に保持された試験管内の検体を分注し、それを反応ディスク１−１に保持された反応容器１−２に注入する。反応ディスク１−１を回転させ、検体が分注された反応容器１−２を、試薬分注位置へ移動させる。試薬分注機構１−１９は、試薬ピペッティング機構１−１０を駆動する。
【００１２】
試薬ピペッティング機構１−１０の試薬ピペッティングノズル１−２８は、試薬ディスク１−９Ａ、１−９Ｂに保持された試薬ボトル内の試薬を分注し、それを反応容器１−２へ注入する。撹拌機構１−１１は、反応容器１−２内の反応溶液を攪拌する。光源１−１３からの光は、反応容器１−２に照射する。多波長光度計１−１２は、反応容器１−２を通過した光のうち所定の波長の光を検出する。洗浄水ポンプ１−２０は、洗浄機構１−１４を駆動する。洗浄機構１−１４は、反応容器１−２を洗浄する。
【００１３】
多波長光度計１−１２によって検出された光強度は、Ｌｏｇ変換１−１７、Ａ／Ｄ変換器１−１８、インターフェース１−１６を経由して、マイクロコンピュータ１−１５に取り込まれる。マイクロコンピュータ１−１５は、予め、項目毎に指定された分析法で測定しておいた標準試料液の吸光度から作成した検量線を有する。そこで、マイクロコンピュータ１−１５は、多波長光度計１−１２によって検出された吸光度を検量線と対照し、濃度データを得る。こうして測定された成分濃度データは、プリンタ１−２２によって印字され、記憶装置１−２４に記憶され、表示装置１−２３の画面を表示される。
【００１４】
本例の自動分析システムでは、測定に必要な種々のパラメータの設定、検体の登録、試薬の登録、分析結果の確認、メンテナンス等を、表示装置１−２３に表示された操作画面上にて行う。操作画面の詳細は、図２以下を参照して説明する。また、これらの処理を実行するプログラムは、記憶装置１−２４に格納されている。
【００１５】
本例の自動分析システムを起動すると、表示装置１−２３には、ログイン画面（図示無し）が表示される。ログイン画面は、操作者ＩＤとパスワードを入力するフィールドを有する。自動分析システムの管理者は、操作者を制限するため、予め操作者に付与した操作者ＩＤとパスワードをマイクロコンピュータ１−１５に登録する。操作者ＩＤとパスワードは操作者本人のみに知らされる。操作者ＩＤとパスワードが付与された操作者はランク付けされており、ランク別に応じ利用可能な機能が制限される。
【００１６】
図２は表示装置１−２３に表示された操作画面の例を示す。上述のようにログイン画面にて、正しい操作者ＩＤとパスワードを入力されると操作画面が表示される。本例の操作画面は、自動分析システムの状態を表すステータスライン２−１、ＪＯＢメニューボタン２−２、サブメニューシート２−３、操作部２−４、及び、グローバルメニューボタン２−５を有する。
【００１７】
以下、図３〜図５を参照して説明するように、自動分析システムの管理者は、予め、各操作者に行わせる業務および各業務の作業項目の操作ナビゲーションを登録する。こうして登録された業務及び各業務の作業項目は、操作者ＩＤと関連付けられて、記憶装置１−２４に保存される。
【００１８】
管理者は、先ず、ログイン画面にて、操作者操作者ＩＤとパスワードを入力する。従って、操作画面のステータスライン２−１には、本例の自動分析システムのオペレータ２−１１として、管理者が表示されている。管理者が、グローバルメニューボタン２−５内のナビゲーションボタン２−５１をクリックすると、図３に示す操作ナビゲーション登録画面が表示される。尚、これらの処理を実行するプログラムは、記憶装置１−２４に格納されている。
【００１９】
図３を参照して、本例の自動分析システムにおいて、管理者による操作ナビゲーション登録の処理の例を説明する。尚、本例の操作ナビゲーション登録の処理を実行するプログラムは、記憶装置１−２４に格納されている。図３は、操作ナビゲーション登録画面の例を示す。本例の操作ナビゲーション登録画面は、操作者リストボックス３−１、業務ボックス３−２、作業項目ボックス３−３、操作内容編集ボタン３−４、書込みボタン３−５、読出しボタン３−６、及び、閉じるボタン３−７を有する。操作者リストボックス３−１には、操作者のリストが表示される。
【００２０】
業務ボックス３−２は、業務リストボックス３−２１とコメントボックス３−２２を有する。作業項目ボックス３−３は、作業項目リストボックス３−３１とコメントボックス３−３２を有する。
【００２１】
管理者は、まず、操作者リストボックス３−１から操作者を選択する。次に、業務リストボックス３−２１の１つの行を選択する。既に登録されている業務の１つを選択してもよいが、空欄を選択し、新たに業務を入力してもよい。そこで編集ボタン３−２３をクリックすると、別ウインドウにて業務編集画面３−９が表示される。業務編集画面３−９には、選択された業務の名称３−９１が表示される。管理者は、その業務の内容をコメント欄３−９２に記入し、ＯＫボタン３−９３をクリックする。それによって、業務とコメントが登録される。こうして登録した業務は、以後、業務リストボックス３−２１に表示される。
【００２２】
管理者は、次に、業務リストボックス３−２１の１つの業務を選択した状態で、作業項目リストボックス３−３１の１つの行を選択する。既に登録されている作業項目の１つを選択してもよいが、空欄を選択し、新たに作業項目を入力してもよい。そこで編集ボタン３−３３をクリックすると、別ウインドウにて作業項目編集画面３−１０が表示される。作業項目編集画面３−１０には、選択された作業項目の名称３−１０１が表示される。管理者は、その作業の内容をコメント欄３−１０２に記入し、ＯＫボタン３−１０３をクリックする。それによって、作業項目とコメントが登録される。こうして登録した作業項目は、以後、作業項目リストボックス３−３１に表示される。１つの業務に対して複数の作業項目を登録してもよい。
【００２３】
本例によると、管理者は、各自動分析システムの使用条件や各操作者の習熟度に応じて、業務及び作業項目を登録することができる。
【００２４】
作業項目リストボックス３−３１の１つの作業を選択し、操作内容編集ボタン３−４をクリックすると、図４に示す操作内容編集画面が表示される。
【００２５】
図４を参照して、本例の自動分析システムにおいて、管理者による操作内容編集の処理の例を説明する。尚、本例の操作内容編集の処理を実行するプログラムは、記憶装置１−２４に格納されている。図４は、操作内容編集画面の例を示す。本例の操作内容編集画面は、作業項目４−１、画面名称一覧４−２及び操作順画面リスト４−５を有する。作業項目４−１には、図３の操作ナビゲーション登録画面の作業項目リストボックス３−３１にて選択された作業項目が表示される。
【００２６】
管理者は、作業項目４−１に表示された作業項目を行うために必要な１つ又は複数の「操作画面の名称」を、画面名称一覧４−２から選択する。次に、右矢印ボタン４−３をクリックすると、選択した「操作画面の名称」が登録され、操作順画面リスト４−５に表示される。
【００２７】
操作順画面リスト４−５への登録順が、作業項目４−１に表示された作業項目に含まれる操作を行う順番となる。操作の順番を入れ替えたい場合は、操作順画面リスト４−５内の「操作画面の名称」を１つ選択して上矢印４−６または下矢印４−７をクリックする。上矢印４−６をクリックした場合は、１行上に表示されている「操作画面の名称」と入れ替わる。下矢印４−７をクリックした場合は、１行下に表示されている「操作画面の名称」と入れ替わる。
【００２８】
操作順画面リスト４−５に表示された「操作画面の名称」を取り消す場合には、操作順画面リスト４−５から取り消したい「操作画面の名称」の１つ選択して左矢印ボタン４−４をクリックする。入力処理をキャンセルする場合には、キャンセルボタン４−１０をクリックする。
【００２９】
操作順画面リスト４−５から１つの「操作画面の名称」を選択し、操作方法入力ボタン４−８をクリックすると、図５に示す操作方法入力画面が表示される。
【００３０】
図５を参照して本例の自動分析システムにおいて、管理者による操作ナビゲーションの操作方法入力処理を説明する。尚、本例の操作ナビゲーションの操作方法入力処理を実行するプログラムは、記憶装置１−２４に格納されている。図５は、操作方法入力画面の例を示す。本例の操作方法入力画面は、作業項目５−１、操作画面５−２、出力方法コンボボックス５−３、エディットボックス５−４、ＯＫボタン５−５及びキャンセルボタン５−６を有する。作業項目５−１には、図４の操作内容編集画面の作業項目４−１に表示された作業項目が表示され、操作画面５−２には、図４の操作内容編集画面の操作順画面リスト４−５にて選択された「操作画面の名称」が表示される。
【００３１】
管理者は、エディットボックス５−４にて、操作画面５−２にて表示された「操作画面の名称」にて行う操作の内容を入力する。次に、管理者は、出力方法コンボボックス５−３にて、操作の内容の出力方法として、「表示」又は「音声」のいずれかを選択する。入力が完了したらＯＫボタン５−５をクリックし、入力内容を確定する。入力内容を取り消したい場合はキャンセルボタン５−６をクリックする。ＯＫボタン５−５又はキャンセルボタン５−６をクリックすると、本例の操作方法入力画面（図５）が閉じ、操作内容編集画面（図４）に戻る。
【００３２】
再度、図４を参照して説明する。操作内容編集画面にて操作順画面リストの作成および個々の画面にて行う操作方法入力処理が全て完了したらＯＫボタン４−９をクリックし、編集内容を確定する。編集内容を取り消したい場合はキャンセルボタン４−１０をクリックする。ＯＫボタン５−５又はキャンセルボタン５−６をクリックすると、本例の操作内容編集画面（図４）が閉じ、操作ナビゲーション登録画面（図３）に戻る。
【００３３】
以上の方法にて自動分析システムの管理者は、予め、各操作者に行わせる業務３−２および各業務の作業項目３−３の操作ナビゲーションを登録する。また、操作ナビゲーション登録画面にて登録した内容は、書込み３−５をクリックすることにより、記憶装置１−２４にバックアップされ、必要に応じ、読出し３−６をクリックすることにより、復元することができる。
【００３４】
次に操作者が行う操作について説明する。ログイン画面にて、操作者は、操作者ＩＤとパスワードを入力する。ここで再度、図２を参照する。図２の操作画面のステータスライン２−１には、本例の自動分析システムのオペレータ２−１１として、操作者が表示される。操作者が、グローバルメニューボタン２−５内のナビゲーションボタン２−５１をクリックすると、図６に示す操作ナビゲーション実行画面が表示される。
【００３５】
図６を参照して、本例の自動分析システムにおいて、操作者による操作ナビゲーション実行の処理を説明する。尚、本例の操作ナビゲーション実行の処理を実行するプログラムは、記憶装置１−２４に格納されている。図６は操作ナビゲーション実行画面の例を示す。本例の操作ナビゲーション実行画面は、業務ボックス６−１、作業項目ボックス６−２、操作開始ボタン６−３、及び、閉じるボタン６−４を有する。
【００３６】
業務ボックス６−１は、業務リストボックス６−１１とコメントボックス６−１２を有する。作業項目ボックス６−２は、作業項目リストボックス６−２１とコメントボックス６−２２を有する。業務リストボックス６−１１には、予め、管理者が編集した操作者専用の業務のリストが表示され、コメントボックス６−１２には、予め、管理者が編集した業務内容が表示される。同様に、作業項目リストボックス６−２１には、予め、管理者が編集した操作者専用の作業項目のリストが表示され、コメントボックス６−２２には、予め、管理者が編集した作業項目の内容が表示される。
【００３７】
操作者は、業務リスト６−１１および作業項目リスト６−２１の中から業務および作業項目を選択し、操作開始ボタン６−３をクリックする。それによって、業務及び作業項目の実行が開始する。ここでは、操作者が、業務リスト６−１１より「日常業務」を選択し、作業項目リスト６−２１より「分析準備」を選択した場合を例として説明する。
【００３８】
なお、「分析準備」には、図４の操作内容編集画面の操作順画面リスト４−５に示すように、最初の操作画面として「試薬管理−状況」、次の操作画面として「ルーチン操作−測定結果」、最後の操作画面として「ユーティリティ−メンテナンス」が登録されているものとして説明する。更に、操作画面「試薬管理−状況」にて行う操作内容は、図５の操作方法入力画面に示す内容が登録されているものとして説明する。
【００３９】
操作者が、業務リスト６−１１より「日常業務」を選択し、作業項目リスト６−２１より「分析準備」を選択し、操作開始ボタン６−３をクリックしたものとする。図５の操作方法入力画面の出力方法コンボボックス５−３にて「表示」が選択されている場合には、図７に示す操作内容表示画面が表示される。図５の操作方法入力画面の出力方法コンボボックス５−３にて「音声」が選択されている場合には、図７に示す操作内容表示画面は表示されず、図８に示す操作画面に遷移すると同時に、管理者が予め入力した操作手順と注意事項７−１が音声出力装置から発声される。
【００４０】
図７を参照して説明する。図７は操作内容表示画面の例を示す。本例の操作内容表示画面には、操作画面「試薬管理−状況」にて行う操作手順と注意事項７−１が表示される。了解ボタン７−２をクリックすると、本画面が閉じ、図８に示す操作画面「試薬管理−状況」に遷移する。
【００４１】
図８を参照して説明する。図８は、「試薬管理−状況」の操作画面の例を示す。操作者は、本例の操作画面にて、上述した表示又は発声された「試薬管理−状況」にて行う操作手順と注意事項７−１に従って作業する。作業中に、操作内容を再確認したい場合には、ヘルプボタン８−２をクリックする。それによって、再度表示又は音声出力される操作手順と注意事項７−１を確認することができる。
【００４２】
操作実行中の誤った操作を防止するために、ＪＯＢメニューボタン８−５およびグローバルメニューボタン内の不要なボタン８−６は、クリックすることができないように、マスク表示される。「試薬管理−状況」画面で行うべき作業が全て完了した場合は次へ進むボタン８−３をクリックする。
【００４３】
次へ進むボタン８−３をクリックすると、操作者は、図７及び図８を参照して説明した操作と同様な操作にて、次の操作画面である「ルーチン操作−測定結果画面」（図示なし）にて行う表示又は発声された操作手順と注意事項に従い作業することができる。同様に、操作者は、最終の操作画面である「ユーティリティ−メンテナンス画面」（図示なし）において、作業を終え、次へ進むボタンをクリックすると、図９に示す操作終了画面が表示される。
【００４４】
図９を参照して説明する。図９は操作終了画面の例を示す。本例の操作終了画面には、「分析準備操作を終了します。よろしいですか？」を含む確認文が表示される。この操作終了画面内の「はい」ボタン９−１をクリックすると、分析準備に登録されている全ての作業が完了となり、図６に示す操作ナビゲーション実行画面に戻る。
【００４５】
なお、途中で作業を中断したい場合は、各画面に共通に表示されているナビゲーションボタン８−８をクリックすると図９に示す操作終了画面が表示される。従って、「はい」ボタン９−１をクリックすると作業を中断することができる。また、もう一度前の画面から操作をやり直したい場合は、各画面に共通に表示されている「前に戻る」ボタン８−４をクリックすることにより、１つ前の操作画面に戻ることができる。
【００４６】
以上の操作にて、作業項目リスト６−２１内の「分析準備」に登録されている操作ナビゲーションに従い作業を行う。また、分析準備以外の作業についても同様に操作ナビゲーションに従った操作を実行することができる。
【００４７】
以上本発明の例を説明したが本発明は上述の例に限定されるものではなく、特許請求の範囲に記載された発明の範囲にて様々な変更が可能であることは当業者により容易に理解されよう。
【図面の簡単な説明】
【００４８】
【図１】本発明の自動分析システムの例を示す図である。
【図２】本発明の自動分析システムにおける操作画面の例を示す図である。
【図３】本発明の自動分析システムにおける操作ナビゲーション登録画面の例を示す図である。
【図４】本発明の自動分析システムにおける操作内容編集画面の例を示す図である。
【図５】本発明の自動分析システムにおける操作方法入力画面の例を示す図である。
【図６】本発明の自動分析システムにおける操作ナビゲーション実行画面の例を示す図である。
【図７】本発明の自動分析システムにおける操作内容表示画面の例を示す図である。
【図８】本発明の自動分析システムにおける操作ナビゲーション表示画面の例を示す図である。
【図９】本発明の自動分析システムにおける操作終了画面の例を示す図である。
【符号の説明】
【００４９】
１−１…反応ディスク、１−２…反応容器、１−３…保温層、１−４…反応ディスク回転機構、１−５…サンプルディスク、１−６…バーコードラベル付き検体、１−７…検体ピペッティング機構、１−８…検体ピペッティングノズル、１−９…試薬ディスク、１−１０…試薬ピペッティング機構、１−１１…攪拌機構、１−１２…多波長光度計、１−１３…光源、１−１４…洗浄機構、１−１５…マイクロコンピュータ、１−１６…インターフェース、１−１７…Ｌｏｇ変換器、１−１８…Ａ／Ｄ変換器、１−１９…試薬分注機構、１−２０…洗浄水ポンプ、１−２１…サンプル分注機構、１−２２…プリンタ、１−２３…表示装置、１−２４…記憶装置、１−２５…入力装置、１−２６…検体バーコード読み取り装置、１−２７…試薬バーコード読み取り装置、１−２８…検体ピペッティングノズル、１−２９…公衆回線網、１−３０…リモートコンピュータ
【図１】
2008070321.tif 000003
【図２】
2008070321.tif 000004
【図３】
2008070321.tif 000005
【図４】
2008070321.tif 000006
【図５】
2008070321.tif 000007
【図６】
2008070321.tif 000008
【図７】
2008070321.tif 000009
【図８】
2008070321.tif 000010
【図９】
2008070321.tif 000011